(57)【要約】      （修正有）【課題】暗所でも靴を容易に区別することができる中敷きを提供する。【解決手段】履物の内部に挿入される中敷き１０は、所定の厚みを有する中敷き本体１’の内部の少なくとも一部に、当該中敷き本体１’の厚みよりも薄い厚みを有する蓄光材３を埋設し、中敷き本体１’の蓄光材３が埋設された箇所の少なくとも一方の面側は、透明又は半透明に形成されている。【選択図】図４
0003192032.tif 000002
【実用新案登録請求の範囲】
【請求項１】
履物の内部に挿入される中敷きであって、
所定の厚みを有する中敷き本体の内部の少なくとも一部に、当該中敷き本体の厚みよりも薄い厚みを有する蓄光材を埋設し、
前記中敷き本体の前記蓄光材が埋設された箇所の少なくとも一方の面側は、透明又は半透明に形成されている、
中敷き。
【請求項２】
請求項１に記載の中敷きであって、
前記蓄光材はシート状に形成されている、
中敷き。
【請求項３】
請求項１に記載の中敷きであって、
前記蓄光材は、前記中敷き本体の内部に塗布されている、
中敷き。
【請求項４】
請求項１乃至３のいずれかに記載の中敷きであって、
前記蓄光材は、中敷きのかかと部分に配置され、前記中敷き本体に埋設されている、
中敷き。
【請求項５】
請求項１乃至４のいずれかに記載の中敷きであって、
前記中敷き本体は、少なくとも一部が２層に形成され、当該２層に形成された箇所の各層の間に、当該各層の厚みよりも薄い厚みを有する前記蓄光材を挟み込んで、当該各層が相互に張り合わせられて構成されている、
中敷き。
【考案の詳細な説明】
【技術分野】
【０００１】
本考案は、履物の内部に挿入して使用する中敷きに関する。
【背景技術】
【０００２】
救急隊員、消防隊員、警察官、自衛隊員が屋内に居る負傷者の救護や捜索等を行う際には、一度に複数の者が靴を脱いで屋内に上がることが多々ある。そして、その後、負傷者を安全な場所に搬送する場合や別の場所に移動する場合には、屋外に出るために脱いだ靴を迅速に履く必要がある。このとき、各隊員が使用する靴は同じ様な形状のものが多く、他の隊員と自分の靴を区別することが容易ではない。すると、自分の靴を探す手間が生じ、業務に支障が出る場合がある。
【０００３】
靴を区別する方法として、靴底に各自が名前や印を記載し、若しくはシール等を貼って対処しているのが現状である。ところが、かかる方法では、明所では視認して区別することができるが、暗所では区別することができない。
【先行技術文献】
【特許文献】
【０００４】
【特許文献１】特開２００１−１９０３０３号公報
【考案の概要】
【考案が解決しようとする課題】
【０００５】
ここで、特許文献１には、暗所でも靴を探すことができる中敷きを開示している。具体的に、特許文献１では、中敷きの表面に、蓄光機能を有する夜光材を塗布する、貼り付ける、縫い付ける、ことを記載している。
【０００６】
ところが、特許文献１の技術では、中敷きの表面に夜光材を配置しているため、かかる夜光材が剥離する可能性がある。特に、靴のかかと部分に夜光材を配置した場合には、足のかかとによる押圧や摩擦によって、夜光材が中敷きの表面から剥離する可能性が高まる。このため、夜光材が剥離した場合には、依然として暗所では靴を区別することができない、という問題が生じる。
【０００７】
このため、本考案の目的は、上述した課題である、暗所では靴を区別することができない、という問題を解決することができる中敷きを提供することにある。
【課題を解決するための手段】
【０００８】
本考案の一形態である履物の内部に挿入される中敷きは、
所定の厚みを有する中敷き本体の内部の少なくとも一部に、当該中敷き本体の厚みよりも薄い厚みを有する蓄光材を埋設し、
前記中敷き本体の前記蓄光材が埋設された箇所の少なくとも一方の面側は、透明又は半透明に形成されている、
という構成をとる。
【０００９】
また、上記中敷きでは、
前記蓄光材はシート状に形成されている、
という構成をとる。
【００１０】
また、上記中敷きでは、
前記蓄光材は、前記中敷き本体の内部に塗布されている、
という構成をとる。
【００１１】
また、上記中敷きでは、
前記蓄光材は、中敷きのかかと部分に配置され、前記中敷き本体に埋設されている、
という構成をとる。
【００１２】
また、上記中敷きでは、
前記中敷き本体は、少なくとも一部が２層に形成され、当該２層に形成された箇所の各層の間に、当該各層の厚みよりも薄い厚みを有する前記蓄光材を挟み込んで、当該各層が相互に張り合わせられて構成されている、
という構成をとる。
【００１３】
上記考案によると、まず、中敷き本体の内部の少なくとも一部には、シート状あるいは塗布材による蓄光材が埋設されている。そして、中敷き本体の蓄光材が配置された箇所の少なくとも一方の面側は、透明あるいは半透明に形成されている。一例として、中敷き本体は、全部または一部が２層に形成されていて、当該２層箇所の各層が張り合わせられて構成されており、当該張り合わせられる各層の間には、当該各層の厚みよりも薄いシート状あるいは塗布材による蓄光材が挟み込まれて配置される。そして、中敷き本体の蓄光材が配置された箇所の少なくとも一方の層は、透明あるいは半透明に形成されている。
【００１４】
上述した構成により、中敷きは、まず、厚みが薄い蓄光材を内部に埋設しているため、全体として厚みを薄く形成することができ、さらには、蓄光材が中敷き本体から離脱することを防止することができる。その結果、常に、蓄光材からの光が中敷きの透明あるいは半透明箇所から外部に放出されることとなり、暗所でも靴を区別することが可能となる。
【考案の効果】
【００１５】
本考案の中敷きは、以上のように構成されるため、暗所でも靴を容易に区別することができる。
【図面の簡単な説明】
【００１６】
【図１】本考案の実施形態１における構成を示す図であり、中敷きの分解図である。
【図２】本考案の実施形態１における構成を示す図であり、図１に示す構造を組み立てたときの中敷きを示す平面図である。
【図３】本考案の実施形態１における構成を示す図であり、図１に示す構造を組み立てたときの中敷きを側方から見た断面図である。
【図４】本考案の実施形態２における中敷きを側方から見た断面図である。
【考案を実施するための形態】
【００１７】
＜実施形態１＞
本考案の第１の実施形態を、図１乃至図３を参照して説明する。図１は、中敷きの分解図を示す。図２は、組み立てた中敷きの平面図を示し、図３は、図２の中敷きの長手方向に沿った断面図を示す。
【００１８】
本考案である中敷き１０は、靴の内部つまり足の裏が当接する内底面に挿入されて配置されるものである。そして、本実施形態における中敷き１０は、図１に示すように、一対の本体シート１，２（中敷き本体）と、蓄光材シート３（蓄光材）と、を備えて構成されている。
【００１９】
本体シート１，２は、それぞれが靴の内底面の形状に形成されており、所定の厚みを有する。本体シート１，２は、例えば、弾力性のある樹脂で形成されており、全体が透明あるいは半透明に形成されている。なお、本体シート１，２の透明の度合いは、後述する蓄光材シート３から発光された光が透過可能な程度である。
【００２０】
そして、これら本体シート１，２は、図３に示すように、相互に張り合わせられて、中敷き１０を構成する。このとき、２枚の本体シート１，２の間であり、足のかかとが当接する位置に、蓄光シート３を配置してから、２枚の本体シート１，２を張り合わせる。
【００２１】
これにより、中敷き１０は、図３に示すように、まず、張り合わせられた２枚の本体シート１，２による２層構造で形成される。そして、中敷き１０は、さらに、足のかかとが当接する位置であり、かつ、２枚の本体シート１，２の間、つまり、２層に形成された各層の間に、蓄光シート３が挟み込まれて形成される。なお、本体シート１，２は、接着剤を用いて張り合わせられたり、加熱圧着などにより張り合わせられるが、その張り合わせ方法はいかなる方法であってもよい。
【００２２】
ここで、蓄光材シート３は、光を蓄えて発光する性質を有する物質にて形成されている。そして、蓄光材シート３は、本体シート１，２の厚みよりも薄く形成されている。これに加え、本体シート１，２は弾性体で形成されているため、中敷き１０の蓄光材シート３が挟み込まれている箇所の厚みは、２枚の本体シート１，２の厚みの合計とほぼ同等となる。つまり、中敷き１０は、蓄光材シート３が挟み込まれていても、その箇所の厚みが大幅に厚くなることはなく、全体として厚みを抑制して薄く形成することができる。
【００２３】
上述したように構成した中敷き１０は、暗所に配置された靴に利用されると、かかと部分の蓄光材シート３からの光が、靴の内部から外部に放出される。その結果、この中敷き１０を利用している靴を暗所でも容易に認識することができる。
【００２４】
また、蓄光材シート３は、張り合わせられた２枚の本体シート１，２に挟み込まれている状態、つまり、中敷き本体の内部に収容された状態となっている。このため、蓄光材シート３が中敷き１０から離脱したり、かかとによって擦れることも無いため、常に暗所でも靴を視認することができる。
【００２５】
＜実施形態２＞
次に、本考案の第２の実施形態を説明する。第２の実施形態は、上述した中敷き１０の変形例である。
【００２６】
まず、上述した本体シート１，２は、必ずしも２枚で構成されることに限定されない。例えば、足のつま先側は１枚で形成されていて、かかと側のみ２枚（２層）に形成されていてもよい。そして、２枚に形成されている箇所の各層の間に、蓄光材シート３を挟み込んで、当該２枚に形成されている箇所を相互に張り合わせてもよい。なお、蓄光材シート３が配置される位置は、必ずしもかかとの位置である必要はなく、他の箇所であってもよい。そして、蓄光材シート３の配置位置に対応して、本体シートの２枚に形成される個所が設定されてもよい。
【００２７】
また、上述した本体シートは、図４の符号１’に示すように、完全に１枚のシート状部材で形成されていてもよい。この場合に、蓄光材シート３は、本体シート１’の成形時に、図４に示すように、本体シート１’の内部に埋設される。なお、本体シート１’の成型方法は、蓄光材シート３が内部に埋設されるよう型に樹脂を流し込むなど、いかなる方法であってもよい。
【００２８】
また、上述した本体シート１，２は、必ずしも全体が透明あるいは半透明であることに限定されない。例えば、中敷き１０として利用される際に、足が当接する側に位置する一方の本体シートのみを透明あるいは半透明に形成してもよい。さらには、本体シートの両方あるいは一方のかかと部分のみ、つまり、蓄光材シート３が挟み込まれる箇所の少なくとも一方の面側のみを、透明あるいは半透明に形成してもよい。
【００２９】
また、蓄光材シート３は、必ずしもシート状の部材である必要はない。例えば、図２に示すように蓄光材シート３が配置される箇所の本体シート１，２の内部に、塗料などの蓄光材を塗布してもよい。つまり、２枚の本体シート１，２のうちの少なくとも一方であって、張り合わせ面の一部に蓄光材を塗布してもよい。
【００３０】
また、中敷き１０には、蓄光材シート３が配置された箇所に、文字を記入したりシールを張るなど、利用者ごとにアレンジしてもよい。さらには、本体シート内に埋設される前の蓄光材シート３に、直接文字を記入したり、シールを張ったり、蓄光材シート３自体を所定の形状にカットするなど、利用者ごとにアレンジしてもよい。これにより、暗所で蓄光材シート３からの発光状態がそれぞれ異なることとなり、利用者は容易に靴を区別して視認することができる。
【００３１】
以上、上記実施形態等を参照して本願考案を説明したが、本願考案は、上述した実施形態に限定されるものではない。本願考案の構成や詳細には、本願考案の範囲内で当業者が理解しうる様々な変更をすることができる。
【符号の説明】
【００３２】
１，２，１’  本体シート
３  蓄光材シート
１０  中敷き
【図１】
0003192032.tif 000003
【図２】
0003192032.tif 000004
【図３】
0003192032.tif 000005
【図４】
0003192032.tif 000006